(57)【要約】【課題】確実に定位することができるノートブック型コンピュータ用二段式枢軸を提供する。【解決手段】本体と、回転不能の方式をもって前記本体に取り付けられるブッシュと、二つの摩擦面、二つの円弧面と破溝を備え、破溝はそれを少々突っ張り開けることができるスプリングチューブと、固定端と枢転端を備え、枢転端は二つの円弧面と二つの平面を形成し、枢転端は前記スプリングチューブに取り付けられる回し軸とを備える。前記枢転端を前記スプリングチューブに取り付け、前記枢転端の二つの平面は前記スプリングチューブの摩擦面に対応し、前記円弧面は前記円弧面に対応し、前記回し軸が回ると破溝を突っ張り開き、前記回し軸の円弧面を前記スプリングチューブの摩擦面に対応させて摩擦定位を達成する【選択図】図2
0003134251.tif 000002
【実用新案登録請求の範囲】
【請求項１】
ノートブック型コンピュータ用二段式枢軸であって、
固定端と枢接端を備える本体と、
回転不能の方式をもって前記本体の枢接端に取り付けてあるブッシュと、
前記ブッシュに嵌め付けられ、二つの摩擦面、二つの円弧面と破溝を備え、破溝に少々突っ張り開けられるスプリングチューブと、
固定端と枢転端を備え、枢転端は二つの円弧面と二つの平面を形成し、枢転端は前記スプリングチューブに取り付けてある回し軸とを備え、
前記枢転端は前記スプリングチューブに取り付けられ、前記枢転端の二つの平面は前記スプリングチューブの摩擦面に対応し、前記枢転端の円弧面は前記スプリングチューブの円弧面に対応し、前記回し軸が回ると破溝を突っ張り開き、前記回し軸の円弧面を前記スプリングチューブの摩擦面に対応させて摩擦定位を達成するものを特徴とするノートブック型コンピュータ用二段式枢軸。
【請求項２】
前記スプリングチューブに第一摩擦段と第二摩擦段を備え、前記摩擦面と前記円弧面は第二摩擦段に実施され、前記回し軸の二つの円弧面は前記枢転端の末端に実施され、前記枢転端末端の二つの円弧面を第二摩擦段に対応し、前記枢転端の他の一端を第一摩擦段に対応することにより、前記回し軸が回った場合は第一摩擦段と全行程の摩擦定位が表れ、第二摩擦段と局部の摩擦定位が表れ、前記破溝は前記スプリングチューブの軸方向に設けられてあることを特徴とする請求項１記載のノートブック型コンピュータ用二段式枢軸。
【請求項３】
前記スプリングチューブの第一摩擦段の断面は多辺形に現れ、それは四辺形に実施されてもよく、辺と辺の連接個所は弧形に表れ、前記枢転端は円弧面をもって多辺形の第一摩擦段に対応し、前記枢転端には環溝が設けられ、環溝は前記回し軸の棒身を巡り回るように実施されてもよく、または前記枢転端の径方向かつ平行に実施されてもよいことを特徴とする請求項２記載のノートブック型コンピュータ用二段式枢軸。
【請求項４】
前記スプリングチューブの円弧面は延伸して定位部が備えられ、定位部は前記ブッシュに取り付けられ、そのために前記スプリングチューブと前記ブッシュは相対して回ることができなく、前記スプリングチューブの中段個所の同一径方向位置には複数の溝が設けられてあることを特徴とする請求項１記載のノートブック型コンピュータ用二段式枢軸。
【請求項５】
前記第一摩擦段と前記第二摩擦段間の摩擦面に対応する個所にはそれぞれ溝が設けられてあることを特徴とする請求項２記載のノートブック型コンピュータ用二段式枢軸。
【請求項６】
前記破溝は前記スプリングチューブの軸方向に設けられ、前記第一摩擦段と前記第二摩擦段を連接して「Ｚ」字型に現れることを特徴とする請求項１記載のノートブック型コンピュータ用二段式枢軸。
【請求項７】
前記スプリングチューブの第二摩擦段の摩擦面は一般状態に於いて平面に現れることを特徴とする請求項２記載のノートブック型コンピュータ用二段式枢軸。
【請求項８】
前記回し軸の固定端と枢転端が連接する個所の固定端に平面が形成され、定位片には制限部が突き出して設けられ、前記回し軸は定位片に取り付けられ、回し軸が開けの位置までに回された場合、定位片は前記ブッシュの制限部に定位され、制限部は回し軸の平面に当て付けて回し軸の回しを制限することを特徴とする請求項１記載のノートブック型コンピュータ用二段式枢軸。
【請求項９】
前記回し軸には定位片が取り付けられ、定位片には二つの定位部が突き出して設けられ、前記ブッシュには制限部が設けられ、制限部には当て部が突き出して設けられ、回し軸が開けの位置までに回された場合、定位片は前記ブッシュの制限部に定位されて回し軸の回しを制限することを特徴とする請求項１記載のノートブック型コンピュータ用二段式枢軸。
【請求項１０】
前記本体の枢接端には収容孔と噛合い孔が備えられ、前記ブッシュには制限端と噛合い端が備えられ、噛合い端は多辺形に現れて複数の凹溝が設けられ、かつ噛合い孔に取り付けられ、制限端は収容孔に取り付けられてあることを特徴とする請求項１記載のノートブック型コンピュータ用二段式枢軸。
【考案の詳細な説明】
【技術分野】
【０００１】
本考案の主要はノートブック型コンピュータの枢軸を開示するもので、特に二段式枢軸で、ノートブック型コンピュータを開けやすくし、かつ精確に定位することができるものを指す。
【背景技術】
【０００２】
ノートブック型コンピュータの枢軸は開けの状態に於いて、常に片手でディスプレー(display)を支え、他の手で本体を支えなければ、ディスプレーを開けるときに本体が一緒に上へ付いてくるようになる。
【０００３】
授権公示第CN2821654Y号「ノートブック型コンピュータに運用される回し軸の構造」を参照ください。前記回し軸の構造は金属材質のC形環状に表れる環状体であり、液晶ディスプレーモジュール(display module)が逆方向に環状体の欠け口個所で回ると、回し軸が回るときは環状体の欠け口個所に支点がないので摩擦力がなく、相対的に捻り値も小さくなり、そのために液晶ディスプレーモジュールは省力に開けることができ、液晶ディスプレーモジュールを閉める場合は環状体の欠け口個所に向かって回すので、回し軸と環状体の摩擦力は大きくなり、相対的に捻り値も大きくなり、液晶ディスプレーモジュールを閉めるには大きな力が必要である。
【０００４】
周知の回し軸は環状体の欠け口の設置だけにより、摩擦の多少によって定位の効能を制御し、有効かつ精確な定位を行うことができなく、かつこの種の面と面の摩擦は時間が長くなると、双方の金属は絶えない磨耗を経て、摩擦定位の効能が磨耗によって消失してしまう。そのために前記回し軸を軽やかに開けて、確実に定位状態に止めることを提供することができなく、上記欠点に鑑み、本考案の考案者は如何にして回し部材を確実精確に定位させ、かつ高品質の要求に達することに対して絶えなく試験と考案を経た後、遂にこのノートブック型コンピュータ用二段式枢軸を創造し、これによって周知の各種未解決技術的問題の改善を希望する。
【特許文献１】授権公示第CN2821654Y号
【考案の開示】
【考案が解決しようとする課題】
【０００５】
本考案『ノートブック型コンピュータ用二段式枢軸』が解決しようとする技術的問題は、従来の回し軸は確実に定位することができなく、長く使用すると疲労が発生しやすいので、それを改善する必要がある。
【課題を解決するための手段】
【０００６】
本考案の『ノートブック型コンピュータ用二段式枢軸』は本体が含まれ、本体には固定端と枢接端を備え、ブッシュは回転不能の方式をもって前記本体の枢接端に取り付けられ、スプリングチューブは二つの摩擦面、二つの円弧面と破溝を備え、破溝はスプリングチューブを少々突っ張り開けることができ、回し軸は固定端と枢転端を備え、枢転端は二つの円弧面と二つの平面を形成し、枢転端は前記スプリングチューブに取り付けられる。
【０００７】
前記枢転端を前記スプリングチューブに取り付け、前記枢転端の二つの平面は前記スプリングチューブの摩擦面に対応し、前記円弧面は前記円弧面に対応し、前記回し軸が回ると破溝を突っ張り開き、前記回し軸の円弧面を前記スプリングチューブの摩擦面に対応させて摩擦定位を達成する
【考案の効果】
【０００８】
上記から本考案に次の長所があることをまとめることができる。
１．本考案『ノートブック型コンピュータ用二段式枢軸』は確実精確に定位し、かつ高い品質の要求に達することができ。
２．本考案『ノートブック型コンピュータ用二段式枢軸』はノートブック型コンピュータがちょうど開けられたとき、省力して開けることができ、ディスプレーが開けられたとき、やや大きな摩擦力によって定位することができる。
３．本考案『ノートブック型コンピュータ用二段式枢軸』は二段式定位によって容易に開けられ、かつ安定に定位する効能を提供することができる。
４．本考案『ノートブック型コンピュータ用二段式枢軸』のスプリングチューブは第一摩擦段と第二摩擦段によって回し軸全部の摩擦定位と、部分位置の摩擦定位の効能を提供することができる。
５．本考案『ノートブック型コンピュータ用二段式枢軸』は定位片とブッシュの制限部により、回し軸が開けられた場合は開けの位置に制限される。
【考案を実施するための最良の形態】
【０００９】
図１から図４に示す本考案ノートブック型コンピュータ用二段式枢軸の第一実施例の意表図を参照ください。本考案は本体10、ブッシュ20、スプリングチューブ30と回し軸40を備える。本体10の外観はL字形に近似し、一端は固定端11で、他の一端は枢接端12で、枢接端12内には噛合わせ孔13と収容孔14を備える。
【００１０】
ブッシュ20は一字型に現れ、一端は噛合い端21で小径に現れる。噛合い端21の断面は円形でなく、本実施例に於いて多辺形に現れ、噛合い端21の周面には軸方向の複数の凹溝211が設けられ、それら凹溝211の設計によってブッシュ20は容易に前記本体10に組み込み、かつ本体10に噛み合せることができる。ブッシュ20の別の一端は制限端22で大径に現れ、制限端22には収容孔221が設けられてある。
【００１１】
スプリングチューブ30は弾性を備えた材料から作られる。スプリングチューブ30は一字型の中空状に現れ、前記ブッシュ20の収容孔221に取り付けることができ、スプリングチューブ30には第一摩擦段31と第二摩擦段32が形成され、破溝33はスプリングチューブ30の軸方向に設けられ、前記第一摩擦段31と第二摩擦段32を連接し、破溝33は「Ｚ」字型に現れて前記第一摩擦段31と第二摩擦段32を少々突っ張り開くことができる。前記第一摩擦段31の断面は多辺形に現れて四辺形に近似し、辺と辺の連接個所は弧形に現れる。前記第二摩擦段32には二つの摩擦面321と二つの弧面322を備え、そのうち摩擦面321は平常は平面の態様に現れ、前記第二摩擦段32の摩擦面321と第一摩擦段31の連接個所の、摩擦面321に対応する個所は溝323である。前記第二摩擦段32は円弧面322から二つの定位部324が延伸される。
【００１２】
回し軸40の一端は固定端41で、他の一端は枢転端42であり、枢転端42は前記スプリングチューブ30の第一摩擦段31と第二摩擦段32に取り付けられ、枢転端42の棒身は円弧面421と平面422が含まれ、そのうち平面422は枢転端42の末端に設けられ、末端に異なる前端は円弧面421に現れる棒身に棒身を巡り回る環溝432が設けられてある。
【００１３】
図５と図６本考案の回し軸40がスプリングチューブ30内に設けられる意表図を参照ください。前記本体10の収容孔14は前記ブッシュ20に取り付けられ、前記ブッシュ20の制限端22の収容孔221は前記スプリングチューブ30に取り付けられ、前記スプリングチューブ30の第一摩擦段31は前記回し軸40の枢転端42の円弧面421に取り付けられる。
【００１４】
前記枢転端42の一端の断面は円形に現れ、前記スプリングチューブ30の第一摩擦段31は近似四辺形に現れているので、前記枢転端42の円弧面421の四つの端面はすべて前記第一摩擦段31と接触して摩擦定位を生じることができ、環溝432は前記枢転端42を容易に前記第一摩擦段31に相対して回るようにし、前記スプリングチューブ30の破溝33によって前記回し軸40は容易にスプリングチューブ30内で回ることができる。
【００１５】
図７から図９の本考案を使ったノートブック型コンピュータ50の意表図を参照ください。前記本体10はノートブック型コンピュータ50の主体51に固定され、前記回し軸40はノートブック型コンピュータ50のディスプレー52に取り付けられる。ディスプレー52は前記回し軸40によって前記本体10に相対して枢転し、ディスプレー52の閉めと開け可能の状態を提供することができる。
【００１６】
図10から図12本考案の回し軸40の枢転の作動図を参照ください。同時に図６を参照し、ディスプレー52が開けの状態に現れた場合(図10に示す如く)、前記回し軸40の枢転端42の弧面421は前記スプリングチューブ30の第二摩擦段32の摩擦面321個所に対応し、前記回し軸40は前記スプリングチューブ30を突っ張り開き、前記溝323（図面には示されていない）の設置によって、前記第二摩擦段32は円形に近い態様に形成し、前記破溝33も同時に突っ張り開けられる。前記回し軸40がこの位置に回されると、前記第一摩擦段31と前記第二摩擦段32はともに前記回し軸40に摩擦力を提供するので、ディスプレー52が開けの位置にある場合、前記回し軸40が提供する定位摩擦力は最大である。
【００１７】
ディスプレー52が半閉めの状態に閉められると（図11に示す如く）、前記回し軸40の回しは前記回し軸40の平面422部分を前記スプリングチューブ30の摩擦面321に対応するようにし、前記破溝33は前記回し軸40が回ったことによって、ディスプレー52の開け状態に比べて、破溝33の開口はやや小さい状態に現れる。この状態に於いて、前記枢転端42の円弧面421は依然前記第一摩擦段31と四つの点で接触し、前記枢転端42の円弧面421の一部も前記第二摩擦段32の摩擦面321と接触し、前記スプリングチューブ30の摩擦面321を少々突っ張り開け、この場合、回し軸40が提供する定位摩擦力は小さくなり、ディスプレー52を容易に閉め開けすることができる。
【００１８】
ディスプレー52が完全に閉められた場合（図12に示す如く）、前記回し軸40の平面422は前記スプリングチューブ30の第二摩擦段32の摩擦面321に対応し、前記第一摩擦段31と前記枢転端42は依然四つの点で接触し、この状態に於いて、前記回し軸40と前記スプリングチューブ30は前記第一摩擦段31だけによって接触摩擦し、この場合、前記第二摩擦段32は前記枢転端42に接触していないので、前記破溝33の開口はやや小さい状態に現れる。
【００１９】
前記ディスプレー52が開けられた場合、前記回し軸40の円弧面421は前記スプリングチューブ30の第一摩擦段31と第二摩擦段32の摩擦面321に対応し、前記回し軸40は四つの点で第一摩擦段31と接触し、前記枢転端42の円弧面421はまた第二摩擦段32の摩擦面321と接触し、摩擦面321を円弧状に突っ張り開ける。この場合、前記回し軸40と前記スプリングチューブ30は二段式の定位に現れる。
【００２０】
前記ディスプレー52が閉められた場合、前記回し軸40の円弧面421は前記スプリングチューブ30の第一摩擦段31と第二摩擦段32の円弧面322に対応し、前記回し軸40は四つの点で第一摩擦段31と接触し、前記回し軸40の平面422は前記第二摩擦段32の摩擦面321と接触し、この場合、前記回し軸40と前記スプリングチューブ30は一段だけで定位する。
【００２１】
図13と図14本考案第二実施例の立体外観図と立体分解図を参照ください。本実施例のノートブック型コンピュータ用二段式枢軸には新たに定位片60が増え、ブッシュ20の制限端22の末端には制限部222が設けられ、制限部222には当て部223が突き出して設けられてある。前記回し軸40の固定端41が枢転端42と接触する個所は、固定端41に於いて平面411が形成される。前記定位片60は前記回し軸40の枢転端42に取り付けられ、定位片60には制限部61が突き出して設けられ、定位片60が前記回し軸40に取り付けられたら、制限部61は前記回し軸40の平面411に当て付け、定位片60の制限部61の両端にはそれぞれ定位部62が突き出して設けられてある。
【００２２】
図15と図16本考案の定位片60が回しを制限する作動図を参照ください。前記回し軸40が本体10で閉められた場合、前記定位片60の一つの定位部62は前記ブッシュ20の当て部223に当て付けている。前記回し軸40が回されると同時に定位片60は回されて開けの位置まで開けられ、別の定位部62は当て部223に制限され、前記回し軸40は引き続いて回すことができない。
【００２３】
図17と図18本考案第三実施例の立体分解図及び意表図を参照ください。本実施例の本体10、ブッシュ20は第二実施例と同じ態様に実施されるので、ここでは余計な説明をしない。前記スプリングチューブ30aは直管状に現れ、それには二つの摩擦面31aと二つの円弧面32aが設けられ、円弧面32aには軸方向に『一』字型に現れる破溝33aが設けられ、円弧面32aから二つの定位部34aが延伸されてある。
【００２４】
前記定位片60aは非円形に現れ、一端には定位部61aが設けられ、かつ前記定位片60aには孔62aが設けられ、前記孔62aも非円形に現れる。
【００２５】
前記回し軸40aの固定端41aは第二実施例と同じく、前記枢転端42aの棒身は円弧面421aと平面422aが含まれ、平面422aは前記枢転端42aの全段に形成され、かつ前記枢転端42aは径方向に平行に現れる三つの環溝423aが設けられてある。
【００２６】
前記回し軸40aが枢転すると、前記定位片60aの定位部61aの当て付けにより、前記回し軸40aが開けの角度までに枢転すると直ちに定位部61aに当て付けられて継続に回れなくなり、開けの位置を制限することができる。
【００２７】
図19の本考案第四実施例の立体分解図を参照ください。本実施例の本体10、ブッシュ20、回し軸40aと定位片60aは第三実施例と同じ態様に実施されるので、ここでは余計な説明をしない。前記スプリングチューブ30bも直管状に現れ、それには二つの摩擦面31bと二つの円弧面32bが設けられ、円弧面32bには軸方向に『一』字型に現れる破溝33bが設けられ、円弧面32bから二つの定位部34bが延伸されてある。前記スプリングチューブ30b の中段個所の同一径方向位置には複数の溝35bが設けられてある。本実施例の作動方式は他の実施例と同じである。
【００２８】
本考案の回し軸は前記スプリングチューブに取り付けられ、前記回し軸の軸身は円弧面に現れ、末端個所に平面が設けられてあり、前記スプリングチューブの一端は第一摩擦段であり、他の一端は第二摩擦段であり、前記回し軸の平面はちょうど前記第二摩擦段に対応し、前記回し軸の円弧面は前記第一摩擦段に対応し、ディスプレーが開けの状態にある場合、前記第一摩擦段と前記第二摩擦段は同時に前記回し軸と摩擦し、前記回し軸は確実に開けの状態に定位することができ、ディスプレーが閉めの状態にある場合、前記第一摩擦段だけが前記回し軸と摩擦する。本考案はノートブック型コンピュータがちょうど開けられたとき、省力に開けることができ、定位位置にある場合、やや大きな摩擦力を提供してディスプレーを定位することができる。それと同時に、前記回し軸は定位片によってブッシュの制限部の当て部と組み合せ、回し軸が開けの時に当て部に制限されて開けの位置に制限される。
【図面の簡単な説明】
【００２９】
【図１】本考案第一実施例の立体外観図である。
【図２】本考案第一実施例の立体分解図である。
【図３】本考案図１の3−3断面線に沿って取った断面図である。
【図４】本考案図１の4−4断面線に沿って取った断面図である。
【図５】本考案図１の5−5断面線に沿って取った断面図である。
【図６】本考案の図５から取った局部拡大図であり、回し軸の枢転端がスプリングチューブの第一摩擦段に取り付けられたことを表す意表図である。
【図７】本考案がノートブック型コンピュータに実施された意表図である。
【図８】本考案図７の8−8断面線に沿って取った断面図であり、ディスプレーが開けていることを表す意表図である。
【図９】本考案図８の継続であり、ディスプレーが閉めていることを表す意表図である。
【図１０】本考案の図８から取った局部拡大図であり、回し軸の枢転端がスプリングチューブの第二摩擦段に取り付けられ、ディスプレーが開けていることを表す意表図である。
【図１１】本考案図10の継続であり、ディスプレーが逐次閉められることを表す意表図である。
【図１２】本考案の図９から取った局部拡大図であり、ディスプレーが閉めていることを表す意表図である。
【図１３】本考案第二実施例の立体外観図である。
【図１４】本考案第二実施例の立体分解図である。
【図１５】本考案図13の15−15断面線に沿って取った断面図であり、回し軸の開ける作動図である。
【図１６】本考案図15の継続であり、回し軸の開ける作動図である。
【図１７】本考案第三実施例の立体外観図である。
【図１８】本考案第三実施例の立体分解図であり、定位片の定位効能を表している。
【図１９】本考案第四実施例の立体分解図である。
【符号の説明】
【００３０】
10    本体
11    固定端
12    枢接端
13    噛合い孔
14    収容孔
20    ブッシュ
21    噛合い端
211   凹溝
22    制限端
221   収容孔
222   制限部
223   当て部
30    スプリングチューブ
31    第一摩擦段
32    第二摩擦段
321   摩擦面
322   円弧面
323   溝
324   定位部
33    破溝
40    回し軸
41    固定端
411   平面
42    枢転端
421   円弧面
422   平面
423   環溝
50    ノートブック型コンピュータ
51    主体
52    ディスプレー
60    定位片
61    制限部
62    定位部
30a   スプリングチューブ
31a   摩擦面
32a   円弧面
33a   破溝
34a   定位部
40a   回し軸
41a   固定端
42a   枢転端
421a  円弧面
422a  平面
423a  環溝
60a   定位片
61a   定位部
62a   孔
30b   スプリングチューブ
31b   摩擦面
32b   円弧面
33b   破溝
34b   定位部
35b   破溝
【図１】
0003134251.tif 000003
【図２】
0003134251.tif 000004
【図３】
0003134251.tif 000005
【図４】
0003134251.tif 000006
【図５】
0003134251.tif 000007
【図６】
0003134251.tif 000008
【図７】
0003134251.tif 000009
【図８】
0003134251.tif 000010
【図９】
0003134251.tif 000011
【図１０】
0003134251.tif 000012
【図１１】
0003134251.tif 000013
【図１２】
0003134251.tif 000014
【図１３】
0003134251.tif 000015
【図１４】
0003134251.tif 000016
【図１５】
0003134251.tif 000017
【図１６】
0003134251.tif 000018
【図１７】
0003134251.tif 000019
【図１８】
0003134251.tif 000020
【図１９】
0003134251.tif 000021